(57)【要約】【課題】  本発明は、地面上においても、ベランダにおいても容易に設置することができ、多くの植木鉢を任意の高さに安全に保持することができ、且つ安価に製造することができる植木鉢保持装置を得ることにある。【解決手段】  単一の支柱に軸着した回動部材に複数の係止部を備え、鉢体を支承する枠体の一端に設けた結節部によって枠体に連結された係止部材が当該係止部に係着することで、植木鉢を所定の高さに複数配設可能にする植木鉢保持装置であって、当該結節部および枠体を引張材で形成し、支柱に設けた直立保持用部材が植木鉢側面に当接することで植木鉢の直立を保持し、なお、当該支柱先端を刺突可能な形状、あるいは当該支柱を突っ張り棒形式として形成することで、地面上あるいは、ベランダに容易に設置でき、多くの植木鉢を任意の高さに安全且つ安定的に保持することができ、且つ安価に製造することができるように構成した植木鉢保持装置。【選択図】図２０
2016096815.tif 000002
【特許請求の範囲】
【請求項１】
植木鉢等、植物を育成するための容器としての機能を有する１以上の鉢体を所定の位置に載置するための植木鉢保持装置であって、鉢体がはまるように形成された１以上の枠体を棒状の支柱の所定の位置に配設し、当該支柱を直立して設置することで、一以上の植木鉢を一本の支柱で保持することが可能となるように形成したことを特徴とする植木鉢保持装置。
【請求項２】
前記支柱外周面の所定の位置に支柱凸部あるいは支柱凹部を配設し、当該支柱凸部直上あるいは支柱凹部に係止し、且つ支柱周囲を回動可能となるように軸着したリング状係止部材を備え、かつ、当該リング状係止部材と前記枠体とを枠体の一端に設けた結節部によって連結することで、枠体が支柱に回動可能に配設できるように構成したことを特徴とする請求項１に記載の植木鉢保持装置。
【請求項３】
前記支柱外周面の所定の位置に一以上の係止部を備え、前記枠体の一端に設けた結節部によって枠体に連結された係止部材が当該係止部に係着することで、枠体を支柱に係止するように構成したことを特徴とする請求項１に記載の植木鉢保持装置。
【請求項４】
前記支柱外周面の所定の位置に、支柱凸部あるいは支柱凹部を配設し、当該支柱凸部直上あるいは支柱凹部に係止され且つ支柱周囲を回動可能となるように軸着した回動部材を備え、かつ当該回動部材の外周面に一以上の係止部を備え、前記枠体の一端に設けた結節部によって枠体に連結された係止部材が当該係止部に係着することで、枠体を回動部材に係止し、枠体が支柱に回動可能に配設できるように構成したことを特徴とする請求項１に記載の植木鉢保持装置。
【請求項５】
前記枠体と係止部材とを連結する結節部が、ヒンジによって形成したことを特徴とする請求項２ないし４の何れか一項に記載の植木鉢保持装置。
【請求項６】
前記結節部または枠体、あるいはその両方共が、十分な曲げ剛性を持たず、植木鉢の重量に起因する引張力の負担にのみ耐えることができる形状または引張材、あるいは形状および引張材で形成したことを特徴とする請求項２ないし５の何れか一項に記載の植木鉢保持装置。
【請求項７】
前記係止部に係着可能となるように形成した係止部材を鉢体と一体的に成型することで、係止部材を備えた鉢体を支柱に係着できるように構成したことを特徴とする請求項３または４に記載の植木鉢保持装置。
【請求項８】
前記支柱の所定の位置に配設し、支柱外周に突出した形状を有し、その先端が前記枠体に載置した植木鉢側面の所定の部位に当接して支柱と植木鉢側面との距離を保つことで植木鉢の傾斜を防ぎ、植木鉢の直立を保持することが可能になるように形成した直立保持用部材を有することを特徴とする請求項２ないし７の何れか一項に記載の植木鉢保持装置。
【請求項９】
前記直立保持用部材が支柱周囲を回動可能となるように支柱に軸着されたことを特徴とする請求項８に記載の植木鉢保持装置。
【請求項１０】
前記支柱の下端を刺突可能な先端形状とすることで、支柱を地面に突き刺し自立可能となるように形成されたことを特徴とする請求項１ないし９の何れか一項に記載の植木鉢保持装置。
【請求項１１】
前記支柱を伸縮可能な突っ張り棒で構成したことを特徴とする請求項１ないし９の何れか一項に記載の植木鉢保持装置。
【請求項１２】
前記支柱の下端に基台を設け、基台に支柱を止着することで支柱が自立可能となるように形成されたことを特徴とする請求項１ないし９の何れか一項に記載の植木鉢保持装置。
【発明の詳細な説明】
【技術分野】
【０００１】  本発明は、植物を植えるための鉢、容器等を所定の位置に保持するための植木鉢保持装置に関する。
【背景技術】
【０００２】  従来、狭小な庭、ベランダ等でなるべく多くの植物を育てようとした場合に有効な方法は植木鉢、プランター等植物の栽培用容器に植物を植えて、当該植木鉢、プランター等を立体的に上下に重ねて配置する方法がある。この方法は狭小な場で多くの植物を栽培できると同時に、マンションのベランダ等、手摺によって光が遮られる場合にも立体的に高い位置に配置することにより、手摺上部の光をあてることができ、植物の生育に適した環境を確保することが可能となる。【０００３】  立体的に上下に重ねて配置するための手段としては、所定の高さを有し植木鉢等を置けるようにした置き型の棚状のフラワースタンド、シェルフ等がある。また、フラワースタンドの変形として、自立する棒状のスタンドに、剛性を有し、スタンドと一体となったリング状の器具を棒状スタンドに対し直角に取り付け、当該リング状の器具に植木鉢を差し込んで保持することにより植木鉢が所定の高さを確保できるようにしている製品もある。【０００４】  しかしながら、フラワースタンド、シェルフ等、置き型の棚状のものの場合は、強風時等、風により棚が転倒、あるいは植木鉢等が落下する恐れがあり危険である。特に中高層階のベランダなどでは風も強く、植木鉢を固定させず、棚等にただ単に置くだけでは安全が確保できない。また、重量のある植木鉢等を載せるため、棚板等を植木鉢の重量に耐える強固な構造とする必要があり、その製造コストも大きなものとならざるを得ない。【０００５】  棒状のスタンドに、スタンドと一体となり、剛性を有するリング状の枠体を棒状スタンドに対し直角に取り付けた製品の場合には、リング状の枠体をスタンドと一体にして剛性を持たせるため、強固な構造とする必要があり、この場合もその製造コストは大きなものとなり、また当該装置の重量も大きなものとなる。
【先行技術文献】
【特許文献】
【０００６】
【特許文献１】  実公平０１−３２８５４  公報
【特許文献２】  実公平０１−２６２０３  公報
【特許文献３】  実公平０７−２８８３３  公報
【発明の概要】
【発明が解決しようとする課題】
【０００７】  以上が従来の立体的な植木鉢保持装置の構造上発生し、避けることのできない不都合な点である。本発明はこれら従来の植木鉢保持装置の持つ不都合な点のすべてを同時に解消する植木鉢保持装置の新しい構造に関する発明である。【０００８】  すなわち本発明は、地面、あるいはマンション等のベランダに容易に設置することができ、任意の高さに植木鉢を保持することができ、強風時等、強風により転倒、あるいは植木鉢等が落下する恐れのない構造を有し、なお且つシンプルであり、コストを抑えて製造することが可能な植木鉢保持装置を提供することを目的とする。また、植木鉢を保持する部材を回動自由とすることで植木鉢上の植物に満遍なく光を当てることができるようにした。とりわけ、安価で使いやすい植木鉢保持装置を提供できることを最大の目的とする。【０００９】  近年、地球温暖化が進み、異常気象が多発するようになってきている。特に都市部においてはヒートアイランド現象として従来には見られぬ高温化がさまざまな問題を引き起こしている。都市から緑地が減ったのもその一因として考えられ、その対策としてビルの屋上緑化等が推進されているが、その日常的な水やり管理等は必ずしも容易ではなく、十分な効果を発揮しているとは考えにくい。一方において、マンションのベランダ等、狭いスペースであっても植物を育てたいと思う人は多く、そのための機材等も数多く商品化されている。しかしながら、高価であったり、スペースを大きくとったり、日照が思うように確保できなかったりとさまざまな障害があるため、あまり利用されていない。本発明者は多くの人がベランダで簡単に植物を栽培できるようになることを願うものである。マンションの窓辺で多くの人々が容易に植物を栽培できるようになれば、ほんの少しでもＣＯ２の削減に役立てるのではないか。ほんの少しでもヒートアイランドの防止に役立つことが期待でき、さらには地球温暖化の防止にほんの少しでも役立てることができるのではないかと願うものでもある。
【課題を解決するための手段】
【００１０】上記目的を達成するために、本発明は、植木鉢等、植物を栽培するための容器をはめ込み保持することが可能な枠体と、当該枠体を係着保持、あるいは支柱周囲を回動可能に軸着して保持する棒状の支柱とで植木鉢保持装置を構成している。【００１１】  より具体的には、支柱外周面の所定の位置に、支柱凸部、あるいは支柱凹部を設ける。枠体の一端に結節部によって連結され、当該支柱に軸着するリング状の部材で形成されたリング状係止部材を当該支柱の支柱凸部直上、あるいは支柱凹部に設置する。このように構成したことを特徴とするのが請求項２に記載の植木鉢保持装置である。このような構成とすることで、リング状係止部材は支柱凸部あるいは支柱凹部の下端部に引っかかり、枠体が落下することなく植木鉢等が所定の位置に保持される。またリング状係止部材は支柱周囲を回動することができるので、枠体にはめ込み保持された植木鉢は支柱周囲を３６０度回転することが可能である。【００１２】  別の好ましい解決手段においては、支柱外周面の所定の位置に係止部が固接されている。また、枠体の一端に結節部によって連結された係止部材がその係止部に係着可能となるように形成されている。このように構成したことを特徴とするのが請求項３に記載の植木鉢保持装置である。係止部材を係止部に係着することで、枠体は支柱の所定の位置に配設され、植木鉢を嵌めこむことで植木鉢を保持することが可能となる。このように構成された植木鉢保持装置は植木鉢を回転させることはできないが、その構成がより単純なので、より安価に製造することが可能である。【００１３】  より好ましい解決手段においては、当該支柱の支柱凸部直上、あるいは支柱凹部に、回動可能に軸着した回動部材の外周面に一以上の係止部が固接されている。また、枠体の一端に結節部によって連結された係止部材がその係止部に係着可能となるように形成されている。このように構成したことを特徴とするのが請求項４に記載の植木鉢保持装置である。この場合、係止部材を係止部に係着することで枠体は支柱の所定の位置に配設され、植木鉢をはめ込むことで植木鉢を保持することが可能となる。なお、回動部材により植木鉢は支柱周囲を３６０度回転することが可能になる。【００１４】  なお、枠体と係止部材とはヒンジにて連結していても良い。枠体と係止部材とを連結する結節部をヒンジに置き換えて構成したことを特徴とするのが請求項５に記載の植木鉢保持装置である。このようにすれば、植木鉢を載置しない場合は、折りたたんでおくことも可能となり、かさばらなくて良い。【００１５】  より好ましい解決手段においては、結節部、あるいは枠体、もしくはその両方ともが引張材、あるいは線材等、剛性を持たない素材、あるいは断面形状で形成している。このように構成したことを特徴とするのが請求項６に記載の植木鉢保持装置である。引張材で形成された結節部等は剛性を持たないため曲げモーメントが生じない。すなわち植木鉢等の重量が支柱への取り付け部分を介して支柱の鉛直方向に作用する、すなわち支柱に対しては主として材軸方向への圧縮力が作用することとなる。このため、支柱は鉛直方向の圧縮力に耐え得る必要最低限の材料で構成することが可能となり、コスト��抑えて製造することが可能になる。さらには枠体、結節部を引張材で形成することで、枠体、結節部などを形成する部材そのものの断面をも必要最小限とすることが可能となり、コストを抑えて製造することが可能になる。【００１６】  別の解決手段においては、係止部に係着可能な形状に形成された係止部材が鉢体の一部として一体的に形成され、前記係止部に係着されることで鉢体が所定の位置に保持されるように構成している。このように構成したことを特徴とするのが請求項７に記載の植木鉢保持装置である。鉢体そのものと一体的に形成された係止部によって鉢体すなわち植木鉢を支柱の所定の位置に載置できるように構成したものである。【００１７】  より好ましい解決手段においては、枠体が設置された支柱の部分の下方の所定の位置に、支柱の周囲に突出する形態を有し、枠体に載置した鉢体の側面に当接するように形成された直立保持用部材を配設している。このように構成したことを特徴とするのが請求項８に記載の植木鉢保持装置である。また、この直立保持用部材が支柱周囲を回動可能になるように構成したことを特徴とするのが請求項９に記載の植木鉢保持装置である。この直立保持用部材は枠体に載置した鉢体を鉛直に保つために設けるものである。引張材で形成された結節部、あるいはヒンジによって連結された枠体に植木鉢が載置された時、結節部あるいはヒンジが剛性を有しないため植木鉢の重さにより枠体は根元で折れ曲がり、そのため植木鉢は直立せずに、斜めに傾斜することとなる。しかしながら枠体の下方、所定の位置に直立保持用部材を設けることで、植木鉢の側面に直立保持用部材先端が接触し、植木鉢側面と支柱との間に一定の距離が確保され、植木鉢の傾斜を妨げ、植木鉢を鉛直に保持することが可能となる。なお、この直立保持用部材は脱着可能であることが望ましい。すなわち、植木鉢を載置する部分のみに取り付けられれば良いのである。【００１８】  当然ながら、支柱には複数の支柱凸部あるいは支柱凹部を設ける。このような構成とすることで、１本の支柱の上下方向にも複数の枠体を同時に載置することが可能となり、狭小な場所であっても多くの植木鉢を載置可能となる。【００１９】  次に、本発明の構成材料である支柱１について説明する。【００２０】  先に述べたように、本発明において、載置される植木鉢等の荷重は支柱に対して略垂直方向に作用するため、支柱は垂直方向の圧縮力のみに抗することができれば良い。そのため支柱には曲げ剛性等は概ね不要であり、圧縮力に抗する必要最低限の断面を有すればよいことになる。そのため、コストを抑えて製造することが可能となる。【００２１】  より好ましい解決手段においては、支柱の先端を刺突可能な形状としている。このように構成したことを特徴とするのが請求項１０に記載の植木鉢保持装置である。このようにすることで、地上においては支柱を所定の深さまで突き刺し、自立させることが容易に可能となる。所定の深さまで突き刺すことで、強風時、あるいは地震時等にも植木鉢保持装置は転倒する恐れがなく、また、枠体でしっかり保持された植木鉢も落下する恐れがなく、安全性を確保できる。このように簡易な支柱１本のみで多数の植木鉢を安定的に保持できるのが本発明��大きな特徴であるので、安価できわめてコストパフォーマンスに優れた製品を提供することができる。【００２２】  より好ましい別の解決手段においては、支柱が伸縮可能な突っ張り棒の構造形式を備えた突っ張り棒形式の支柱によって構成されている。このように構成したことを特徴とするのが請求項１１に記載の植木鉢保持装置である。このような構成とすることで、マンション等のベランダの床と直上階のベランダの下面との間に所定の長さまで伸長させ突っ張り棒として機能させることで、ベランダに突っ張り棒形式の支柱を略垂直に固定することが可能となる。この支柱の任意の高さに設けた枠体に植木鉢を載置することで、手摺等の影を避けて日光のあたる位置に容易に複数の植木鉢を載置することが可能になる。しかも枠体が回動可能な場合は、同一レベルに載置された複数の枠体が突っ張り棒形式の支柱を中心として回転するため、定期的に枠体を回転することにより、載置された複数の植木鉢の植物に、時をずらして満遍なく日光をあてることが可能となる。また、植木鉢の重量は突っ張り棒形式の支柱に対しても略垂直方向となる材軸方向に働くため、突っ張り棒形式の支柱には曲げモーメントなど無理な力が働くことはなく、むしろ、より突っ張り棒の力を増幅し安定させる。そのため、しっかり固定され、強風、地震等においても植木鉢は落下することなく安全性を確保できる。【００２３】  好ましい別の解決手段においては、支柱の下端に基台を設け、基台に支柱を止着していることを特徴とするのが請求項１２に記載の植木鉢保持装置である。このような構成とすることで、屋内、屋外の舗装面等、強固な床面にも設置可能である。
【発明の効果】
【００２４】  本発明の植木鉢保持装置における最大の効果はコストパフォーマンスの高さにある。すなわち、シンプルで単純な構造、そして必要最小限の使用材料で構成されているため、安価に製造できるという優れた特徴を有することにある。先に述べたように、本発明の植木鉢保持装置によれば、枠体、結節部等の使用材料にかかる主要な力は引張力であり、支柱、直立保持用部材にかかる主要な力は圧縮力である。どちらも曲げモーメントが概ね作用しないため、使用部材の素材および形状を決めるにあたって曲げに対する剛性は概ね必要としない。そのため、部材の断面を小さく、必要最小限にすることが可能であり、その材料も剛性を必要としない引張材、あるいは圧縮材を使用することができるので、安価に製造できる、重量を軽くできるなど優れた特徴を有する。【００２５】  本発明の植木鉢保持装置によれば、支柱には概ね材軸方向の圧縮力しか作用しないため、部材断面に比して大きな重量がかかっても座屈が生じないように配慮すれば、安定的に支持することができる。したがって単一の支柱ながら多数の植木鉢等を同時に載置することができるので狭小なスペースでも多くの植物を育てることが可能となり、極めてコストパフォーマンスに優れた植木鉢保持装置を提供できる。【００２６】  本発明の植木鉢保持装置によれば、植木鉢等、植物を栽培するための容器は支柱に係止された枠体にはめ込み保持されるため、強風、あるいは地震等に対しても抜け落ちたりして落下する恐れはなく、極めて高い安全性が確保できる【００２７】  本発明の植木鉢保持装置によれば、複数の植木鉢を多段にわたって載置できるので従来の棚等を利用した方法に比べれば、棚板等の影が生じることもなく、より多くの植木鉢を日当たり、通風など、より良い条件のもとに設置できる。【００２８】  本発明の植木鉢保持装置によれば、任意の高さに植木鉢を載置できるので、使用する人の身長に合わせるなど使用勝手に合わせた高さに植木鉢を設置することが容易である。そのため、しゃがむことなく立ったままでの植物の手入れも可能となる。【００２９】  本発明の内、回動可能な植木鉢保持装置によれば、同一レベルに載置された複数の枠体は支柱を中心として簡単に回転させることができるので、定期的に枠体を回すことにより、載置された複数の植木鉢の植物に時をずらして満遍なく日光をあてることが可能となる。【００３０】  本発明の植木鉢保持装置によれば、同一レベルに載置された複数の枠体は、支柱を軸として簡単に回転することができるので、奥に位置する植木鉢も回転させて、手前に位置させることが容易にできる。このため、日々の水やりや手入れ等もやり易くなる。例えばベランダの壁際等に本装置を設置したとしても、奥に位置する植物の手入れも容易にできる。【００３１】  本発明の植木鉢保持装置によれば、枠体が着脱可能な実施形態の場合には、大きさの異なる枠体に変えることで、大きさの異なる植木鉢を嵌めこんで使用することも容易に可能となる。【００３２】  本発明の植木鉢保持装置によれば、支柱を地上面で突き刺して使用する実施例の場合は、支柱を任意の深さまで突き刺すことで高さを調整でき、さらには支柱設置後でも望み通りの高さに複数の植木鉢等を載置することが可能であるので、日照など周囲の環境を考慮して植木鉢をより良い場所、高さに容易に設置することが可能になる。また、地面に突き刺して設置するため、強風、地震等にも転倒することなく極めて安全性の大きな植木鉢保持装置を提供することができる。【００３３】  本発明の植木鉢保持装置によれば、支柱が突っ張り棒形式の実施例の場合は、マンションのベランダ等において使用する場合に突っ張り棒の構造を有するため、建物に傷をつけることなく、多数の植木鉢をしっかりと保持できる。上下方向、任意の位置に植木鉢等を載置できるので、手摺等の影を避けて、植物にとって大切な光を確保できるように配置することが容易にできる。また、壁際に配置したとしても、定期的に枠体を回すことにより、すべての植物に満遍なく日光を当てることができる。また、枠体をまわすことで奥に位置する植物の手入れも容易にできる。【００３４】  なお、本発明の植木鉢保持装置の利用方法は、植木鉢の保持に限ることはない。例えば本装置の枠体に植木鉢等と略同一形状の多数の容器、あるいは飾り物等を載置して、植物栽培以外に利用することも極めて有効である。したがって、枠体の形状もリング状とは限らず、載置するものに合わせて、例えば四角形であってもよいのである。
【図面の簡単な説明】
【００３５】
【図１】  本発明の第１の実施形態にかかる植木鉢保持装置であって、支柱外周面に設けた支柱凸部でリング状係止部材を係止し、枠体、結節部等を線状の引張材で形成した実施例の平断面図である。
【図２】  第１の実施形態にかかる植木鉢保持装置の立面図である。
【図３】  第１の実施形態にかかる植木鉢保持装置のＡ−Ａ線立断面図である。
【図４】  本発明の第２の実施形態にかかる植木鉢保持装置であって、支柱外周面に固接した係止部に枠体を係止した実施例の立面図である。
【図５】  第２の実施形態にかかる植木鉢保持装置のＢ−Ｂ線平断面図である。
【図６】  第２の実施形態にかかる植木鉢保持装置のＣ−Ｃ線立断面図である。
【図７】  本発明の第３の実施形態にかかる植木鉢保持装置であって、支柱周囲に設けた支柱凹部に回動部材を軸着し、回動部材に設けた係止部に枠体を係止した実施例の立面図である。
【図８】  第３の実施形態にかかる植木鉢保持装置のＤ−Ｄ線平断面図である。
【図９】  第３の実施形態にかかる植木鉢保持装置のＥ−Ｅ線立断面図である。
【図１０】  第３の実施形態にかかる植木鉢保持装置であって、３個の係止部が回動部材に固接された実施例の平断面図である。
【図１１】  本発明の第４の実施形態にかかる植木鉢保持装置であって、第３の実施形態と同様の機能を持ちながら、異なる形態の係止部および係止部材によって構成された実施例の中の一例の立面図である
【図１２】  第４の実施形態にかかる植木鉢保持装置のＦ−Ｆ線平断面図である。
【図１３】  本発明の第５の実施形態にかかる植木鉢保持装置であって、結節部がヒンジによって構成された実施例の立面図である。
【図１４】  本発明の第６の実施形態にかかる植木鉢保持装置であって、係止部材が植木鉢と一体的に成型された実施例の立面図である。
【図１５】  回動部材と係止部を割りバンドの形式で構成した実施例の平断面図である。
【図１６】  本発明の第７の実施形態にかかる植木鉢保持装置であって、直立保持用部材を備えた実施例の立面図である。
【図１７】  第７の実施形態にかかる植木鉢保持装置の立断面図である。
【図１８】  本発明の第８の実施形態にかかる植木鉢保持装置であって、支柱を地面に刺突して自立させた場合の実施例の立面図である。
【図１９】  本発明の第９の実施形態にかかる植木鉢保持装置であって、据え置き型の基台に支柱を止着することで支柱が自立可能となるように構成した実施例の立面図である。
【図２０】  本発明の第１０の実施形態にかかる植木鉢保持装置であって、突っ張り棒形の支柱をバルコニーに設置した場合の実施例の立面図である。
【発明を実施するための形態】
【００３６】  以下、本発明を実施するための形態を図に基づいて説明する。
【実施例１】
【００３７】  図１〜３は、実施例１にかかる植木鉢保持装置であって、支柱１外周面に設けた支柱凸部５で支柱１に軸着したリング状係止部材３が落下しないように係止し、結節部４を介して連結した枠体２を保持している。当該枠体２は鉢体（植木鉢）１２をはめ込み支承できるようにリング状に形成されている。この場合、リング状係止部材３は支柱１の周囲を回動自在のため、枠体２に支承された鉢体（植木鉢）１２も支柱周囲を回転させることができる。なお、この実施例では枠体２および結節部４は剛性を持たない線状部材（引張材）で形成している。
【実施例２】
【００３８】  図４〜６は、実施例２にかかる植木鉢保持装置であって、植木鉢を差し込み載置する枠体２が容易に着脱できるように構成したものである。支柱外周面に固接された中空状の係止部７に、結節部４を介して枠体２に連結され、係止部７に挿着可能な形状に形成された係止部材８が挿入され係止されている。このため、鉢体（植木鉢）１２は枠体２にはめ込むことで所定の位置に保持される。この実施例でも枠体２および結節部４は剛性を持たない線状部材（引張材）で形成している。
【実施例３】
【００３９】  図７〜９は、実施例３にかかる植木鉢保持装置であって、本発明を実施するための最良の形態の一つである。この実施例においては、支柱１の外周面に設けた支柱凹部６の部分に筒状の回動部材９が軸着して支柱１の周囲を回動するように形成されている。回動部材９の外周面に固接された中空状の係止部７に、結節部４を介して枠体２に連結され、係止部７に挿着可能な形状に形成された係止部材８が挿入され係止している。この場合、枠体２にはめ込まれた鉢体（植木鉢）１２は支柱１の所定の位置に保持されると同時に回動部材９により支柱周囲を回転することが可能となる。この実施例でも枠体２および結節部４は剛性を持たない線状部材（引張材）で形成している。【００４０】  なお、支柱１あるいは回動部材９の外周面に設ける係止部７は１以上いくつでもよい。図１０は、実施例３における回動部材９の外周面に係止部７を３か所設けた例である。また、回動部材９の形態もどのような形、製造方法であってもよい。図１５は回動部材９を割りバンド形式とし、留め付け用ネジ１３によって組立て、支柱１に軸着されたものである。【００４１】  上述の実施例１〜３において、枠体２および結節部４は引張材で形成されており、このことが本発明の最大の特徴である。すなわち植木鉢を支承する枠体２および結節部４は、本発明においては、植木鉢等、鉢体２の重量によって生ずる引張力の負担にのみ耐えることができれば良い。そのため、部材断面を細く、最小限とすることが可能である。それゆえ、部材の材料費は少なく安価に製造できる。また、細いがゆえに目立つことなく意匠的にも優れた植木鉢保持装置を実現できるのも本発明の大きな特徴である。また、いうまでもなく枠体、結節部等、本発明にかかる植木鉢保持装置を構成する部品の形状はどのような形状であってもよい。本実施例においては、その効果を強調するため枠体を線状の部材で表現しているが、板状の部材であっても最低限の引張力の負担に耐えることができればよく、その形状はどんな形状でもよい。同様に係止部、係止部材等、その機能が満足されれば、その形態はどのような形態でもよい。素材についても特に特定の素材にこだわることなく、引張力の負担に耐えることができれば、プラスチックでもよい。以下に示す実施例はそのバリエーションの一部である。
【実施例４】
【００４２】  係止部および係止部材の形状は、係止部材が係止部に係止されて枠体が所定の位置に保持されればどのような形態であってもよい。図１１〜１２は、実施例４にかかる植木鉢保持装置であって、実施例３と略同様な機能をもちながら、その形態を異にするものである。実施例４においては、回動部材９の外周面にフック形状に形成された係止部７にリング状に形成された係止部材８を掛着することで枠体２を所定の位置に保持している。すなわち、係止部の形態と係止部材の形態とが互いに実施例２および実施例３の各々の形態と逆の形態となっており、いわゆるピン構造の形式となっている。本発明においては、このように枠体を支柱あるいは回動部材に係止する方法はしっかりと枠体が所定の位置に保持されればその形態はどのような形であってもよい。以下の実施例５および実施例６もその実施例の一部である。
【実施例５】
【００４３】  枠体２と係止部材８とを連結する結節部は本発明においては剛性を持たなくてよい。言い換えればピン接合でもよいので、植木鉢の重量により回転して植木鉢が傾いてもよい。図１３は実施例３と略同様の機能を持ちながら、枠体２と係止部材８との連結部分をヒンジ１０とした実施例５である。ヒンジすなわちピン構造とすることで力の作用はより明確となり、植木鉢は傾くが、植木鉢の荷重によって生じる曲げモーメントは支柱１には伝わらず、主に略垂直方向の圧縮力のみが支柱１にかかるので支柱１を形成する部材も細くでき、安価に製造することができる。
【実施例６】
【００４４】  図１４は実施例６にかかる植木鉢保持装置であって、係止部材８を植木鉢と一体的に成型し、係止部７を設けた回動部材９に植木鉢を係着可能としたシンプルな形態の実施例である。この場合も支柱１が植木鉢を支持する部分は略ピン構造であり、主に略垂直方向の圧縮力が支柱１にかかるので支柱を形成する部材も細く、安価に製造することができる。
【実施例７】
【００４５】  図１６〜１７は、実施例７にかかる植木鉢保持装置であって、本発明を実施するための最良の形態の一つである。前記実施例１〜５においては、植木鉢を保持するための枠体２、結節部４に曲げ剛性を持たない引張材を使用、あるいはヒンジ等のピン構造を採用することで枠体、結節部等を安価に製造できるのが本発明の最大の特徴である。また、曲げ剛性を持たないため、支柱に作用する力も主には略垂直方向の圧縮力のみとなり、支柱を製造するにあたっても部材断面を小さくするなどより安価に製造できるのも本発明の最大の特徴である。実施例６における支柱においてもそれは同様である。【００４６】  しかしながら、枠体、結節部等を引張材で形成する、あるいは結節部をヒンジとした場合には、図２〜１４の立面図あるいは断面図に示すように、載置された植木鉢は傾斜してしまい、植木鉢に植えられた植物等を管理するうえで、極めて不都合である。その不都合を解消するため、図１６および図１７に示す実施例７においては実施例３の植木鉢保持装置の形態を備えながら、植木鉢下方の所定の位置に、図に示すような直立保持用部材１１を設置して、支柱と植木鉢側面との距離を保ち、植木鉢の直立を保持できるように構成したことを特徴としている。当然ながら、他の実施例においても同様の効果が得られる。なお、直立保持用部材１１は支柱周囲を回動しても、しなくてもよい。植木鉢に当接して支柱と植木鉢側面との距離を保ち、植木鉢の直立を保つことができれば良い。例えば、直立保持用部材１１の平面形状を円形とすれば、直立保持用部材１１が回動しなくても、常に支柱と植木鉢側面とは同距離を保つことができ、植木鉢の直立を保つことができる。
【実施例８】
【００４７】  図１８は支柱全体の形態を含めた実施例８にかかる植木鉢保持装置であって、本発明を地面の上で実施するための最良の形態の一つである。この実施例においては、実施例７にかかる植木鉢保持装置の形態をとりながら、支柱１の先端を地面に刺突することで、植木鉢保持装置の直立を保持しているのが特徴である。このように本発明においては１本の比較的細めの支柱のみで全体を支えることができるシンプルな構造なので、地面に刺突するだけの簡便な操作で安全且つ安定的に多くの植木鉢を保持できるという極めて優れた特徴を有している。なお、先にも述べたとおり、植木鉢を図のごとく多数載置したとしても、また、重量の大きな植木鉢を載置したとしても支柱に作用する主な力は略垂直方向の圧縮力のみであるから、支柱の座屈さえ起らないように配慮すれば、支柱は細くても安定的に多数の植木鉢を保持することが可能であり、きわめてコストパフォーマンスに優れた植木鉢保持装置となり得る。
【実施例９】
【００４８】  図１９は支柱全体の形態を含めた実施例９にかかる植木鉢保持装置であって、本発明を室内、あるいは床面上で実施するための形態の１つである。この実施例においては、実施例７にかかる植木鉢保持装置の形態をとりながら、据え置き型の基台１６に支柱１を止着することで支柱１が自立可能となるように構成した植木鉢保持装置である。
【実施例１０】
【００４９】  図２０は支柱全体の形態を含めた実施例１０にかかる植木鉢保持装置であって、本発明をバルコニー１７において実施するための最良の形態の一つである。この実施例においては、実施例７にかかる植木鉢保持装置の形態をとりながら、支柱を伸縮可能な突っ張り棒で構成しているのが特徴である。これを使用するときは、突っ張り棒形式の支柱１５を伸長させてバルコニー上下のスラブに突っ張り固定することで支柱を固定し、植木鉢を載置する。先にも述べたとおり、植木鉢の重量が突っ張り棒形式の支柱１５に作用する力は略垂直方向の圧縮力がほとんどであるから、突っ張り棒に作用する主な力も略垂直方向である。そのため、垂直方向に突っ張って固定する突っ張り棒には力学的に無理な力が生じず、多数の植木鉢を載置したとしても安全に保持することができる。【００５０】  図２０のごとく、植木鉢を載置する枠体２の上下位置は簡単に変えられるので、手摺１８等の影を避けて陽のあたる高さに植木鉢を載置することが可能である。また、図２０のように壁際に設置したとしても植木鉢を載置した枠体２は支柱周囲を回動可能なので、時をずらして回転させることで裏側の植木鉢にも陽をあてることができる。また、回転させることで水やり、草取り等、日々の管理も容易になる。
【産業上の利用可能性】
【００５１】  本発明は、植木鉢保持装置を製造する産業で利用される。
【符号の説明】
【００５２】  １  支柱
２  枠体
３  リング状係止部材
４  結節部
５  支柱凸部
６  支柱凹部
７  係止部
８  係止部材
９  回動部材
１０  ヒンジ
１１  直立保持用部材
１２  鉢体（植木鉢）
１３  留め付け用ネジ
１４  刺突可能な先端形状
１５  突っ張り棒形式の支柱
１６  基台
１７  バルコニー
１８  手摺
１９  特定時刻における太陽光入射範囲を示す
２０  植物
２１  地盤面
【図１】
2016096815.tif 000003
【図２】
2016096815.tif 000004
【図３】
2016096815.tif 000005
【図４】
2016096815.tif 000006
【図５】
2016096815.tif 000007
【図６】
2016096815.tif 000008
【図７】
2016096815.tif 000009
【図８】
2016096815.tif 000010
【図９】
2016096815.tif 000011
【図１０】
2016096815.tif 000012
【図１１】
2016096815.tif 000013
【図１２】
2016096815.tif 000014
【図１３】
2016096815.tif 000015
【図１４】
2016096815.tif 000016
【図１５】
2016096815.tif 000017
【図１６】
2016096815.tif 000018
【図１７】
2016096815.tif 000019
【図１８】
2016096815.tif 000020
【図１９】
2016096815.tif 000021
【図２０】
2016096815.tif 000022